(57)【要約】【課題】  電子レンジで長時間高温で加熱調理した場合、耐熱手袋などを使用しなくても取り出しや持ち運びを可能とし、また、蓋材をヒートシールする場合の密封性を高めることのできる電子レンジ用二重容器を得る。【解決手段】  プラスチック製の内容器部２と外容器部３を、内容器部２と外容器部３の胴部４，５と底部６，７の間に空隙８を形成するように重ね、内容器部２と外容器部３の開口端部９，１０同士を係止或いは固定して一体化した。【選択図】  図２
2014189326.tif 000002
【特許請求の範囲】
【請求項１】
プラスチック製の内容器部と外容器部が、前記内容器部と前記外容器部の胴部と底部の間に空隙を形成するように重ねられ、前記内容器部と前記外容器部の開口端部同士が係止或いは固定されて一体化していることを特徴とする電子レンジ用二重容器。
【請求項２】
前記内容器部と前記外容器部の前記開口端部は、いずれも胴部から外側に延びるフランジ部を有し、前記内容器部と前記外容器部のいずれか一方のフランジ部の端部が内側に向けて折り返されて折り返し部が形成され、この折り返し部に他方のフランジ部の端部が係止していることを特徴とする請求項１に記載の電子レンジ用二重容器。
【請求項３】
前記内容器部と前記外容器部のいずれか一方又は双方の胴部と底部に、前記内容器部と前記外容器部の胴部と底部の間に空隙を形成する凸状部が形成されていることを特徴とする請求項１または２に記載の電子レンジ用二重容器。
【請求項４】
前記外容器部の胴部と底部のいずれか一方又は双方に、前記内容器部と前記外容器部の胴部と底部の間に空隙に連通する換気用穴が形成されていることを特徴とする請求項１乃至３のいずれか１に記載の記載の電子レンジ用二重容器。
【請求項５】
前記内容器部はガスバリアー性を備えていることを特徴とする請求項１乃至４のいずれか１に記載の記載の電子レンジ用二重容器。
【発明の詳細な説明】
【技術分野】
【０００１】
本発明は、特に、長時間高温で加熱調理する食品を収容し、電子レンジで加熱調理することができる電子レンジ用二重容器に関する。
【背景技術】
【０００２】
飲料や即席食品などを容器に収容し、電子レンジで加熱調理するといったことが行われている。飲料や即席食品などを収容する電子レンジ用容器として紙製容器が多く用いられている（例えば、特許文献１参照。）。
しかし、紙は高周波電磁波の影響を受け易く、電磁波を吸収して熱が蓄積するといった性質を有している。そのため、例えば、グラタン、ドリア、リゾットなどのように、長時間高温で加熱調理する食品を紙製容器に収容して電子レンジで加熱調理した場合、紙製容器が高熱を帯びることになるので、調理直後は容器に素手で触れることは危険であり、耐熱手袋などを使用して取り出しや持ち運びをしている。このようなことから、電子レンジで使用される紙製容器は、比較的短時間で加熱調理できる飲料や即席食品などの容器として使用される場合が多い。
【０００３】
従来、特に、断熱を目的とした、外包装体の紙カップと内包装体のプラスチックカップとを一体とした二重構造の断熱複合容器が提案されている（例えば、特許文献２参照。）。
特許文献２に記載された断熱複合容器は、外包装体の紙カップと内包装体のプラスチックカップとの間に空隙が形成されており、この空隙により内包装体のプラスチックカップにある加熱調理された食品の熱を断熱し、外包装体の紙カップに熱が伝わらないようになっているが、電子レンジで長時間高温で加熱調理した場合の紙カップへの蓄熱については考慮されていない。
【先行技術文献】
【特許文献】
【０００４】
【特許文献１】特開平１０−４３０２７号公報
【特許文献２】特開２００７−１６８８１９号公報
【発明の概要】
【発明が解決しようとする課題】
【０００５】
上記のように、特許文献２に記載の断熱複合容器では、電子レンジで長時間高温で加熱調理した場合、紙カップへ熱が蓄積し、熱が蓄積し高熱を帯びた紙カップはプラスチックカップの外側にあるため、調理直後は容器に素手で触れることは危険であり、耐熱手袋などを使用しなければ取り出しや持ち運びができないといった問題があった。
また、特許文献１に記載の紙製容器のように、容器が一枚の板紙原紙からプレスによる絞り成形のみによって形成されるものである場合、容器の胴部や開口部端部に絞り成型特有のシワが生じる。特に容器の開口部に蓋材を、例えばヒートシールして封止しようとした時、シワが密封性を妨げるものとなる。この様な事態を解消するために、絞り成型に伴うシワを成型時のプレス圧を高めることで平滑性を上げることができるが、それでも容器の開口部端部にシワによる凹凸が残り、容器の開口部に蓋材をヒートシールする場合に密封性を低下させるといった問題があった。
【０００６】
本発明の目的は、電子レンジで長時間高温で加熱調理した場合、耐熱手袋などを使用しなくても取り出しや持ち運びを可能とし、また、蓋材をヒートシールする場合の密封性を高めることのできる電子レンジ用二重容器を提供することにある。
【課題を解決するための手段】
【０００７】
上記の目的を達成するために、請求項１に記載の発明は、プラスチック製の内容器部と外容器部が、前記内容器部と前記外容器部の胴部と底部の間に空隙を形成するように重ねられ、前記内容器部と前記外容器部の開口端部同士が係止或いは固定されて一体化していることを特徴とする。
【０００８】
請求項２に記載の発明は、請求項１に記載の、前記内容器部と前記外容器部の前記開口端部は、いずれも胴部から外側に延びるフランジ部を有し、前記内容器部と前記外容器部のいずれか一方のフランジ部の端部が内側に向けて折り返されて折り返し部が形成され、この折り返し部に他方のフランジ部の端部が係止していることを特徴とする。
【０００９】
請求項３に記載の発明は、請求項１または２に記載の、前記内容器部と前記外容器部のいずれか一方又は双方の胴部と底部に、前記内容器部と前記外容器部の胴部と底部の間に空隙を形成する凸状部が形成されていることを特徴とする。
【００１０】
請求項４に記載の発明は、請求項１乃至３のいずれか１に記載の、前記外容器部の胴部と底部のいずれか一方又は双方に、前記内容器部と前記外容器部の胴部と底部の間に空隙に連通する換気用穴が形成されていることを特徴とする。
【００１１】
請求項５に記載の発明は、請求項１乃至４のいずれか１に記載の、前記内容器部はガスバリアー性を備えていることを特徴とする。
【発明の効果】
【００１２】
請求項１に記載の電子レンジ用二重容器によれば、プラスチック製の内容器部と外容器部は、電磁波を吸収せず熱が蓄積されないので電子レンジで長時間電磁波を受けても高熱を帯びず、また、内容器部で加熱調理された高温の内容物の熱が内容器部と外容器部の胴部と底部の間に形成されている空隙で断熱されるといったことから、電子レンジで長時間高温で加熱調理した直後であっても、外容器部は高温にはならず、耐熱手袋などを使用しないで取り出しや持ち運びが可能となり、安全性が高く取り扱いが容易となり、特に、電子レンジで長時間高温で加熱調理する食品を収容する容器として便利である。
また、内容器部と外容器部はプラスチック製なので、電子レンジ用二重容器の開口部への蓋材のヒートシールが良好に行え、高い密封性が得られる。
また、プラスチック製の内容器部と外容器部は紙製容器に比べ凹凸状の突起などの成型が容易であるため、形状の設計自由度が高く、剛性を高められるので薄肉化による軽量化を図ることができる。
また、内容器部はプラスチック製なので、従来の紙製容器で付与されていた耐水手段は不要となる。
【００１３】
請求項２に記載の電子レンジ用二重容器によれば、請求項１に記載の、前記内容器部と前記外容器部の前記開口端部は、いずれも胴部から外側に延びるフランジ部を有し、前記内容器部と前記外容器部のいずれか一方のフランジ部の端部が内側に向けて折り返されて折り返し部が形成され、この折り返し部に他方のフランジ部の端部が係止するようになっているので、フランジ部の弾性を利用して前記内容器部と前記外容器部のいずれか一方のフランジ部の端部に形成されている折り返し部に他方のフランジ部の端部を容易に係止させることができるとともに、前記内容器部と前記外容器部の一体性を確実に保持することができる。
【００１４】
請求項３に記載の電子レンジ用二重容器によれば、請求項１または２に記載の、前記内容器部と前記外容器部のいずれか一方又は双方の胴部と底部に、前記内容器部と前記外容器部の胴部と底部の間に空隙を形成する凸状部が形成されているので、凸状部がスペーサとなって、前記内容器部と前記外容器部の胴部と底部の間に空隙を確実に確保することができる。
また、凸状部がリブとなって前記内容器部と前記外容器部の剛性を強化することができるので、その分薄くすることが可能となり、材料を減らすことにより軽量化を図ることができる。
【００１５】
請求項４に記載の電子レンジ用二重容器によれば、請求項１乃至３のいずれか１に記載の、前記外容器部の胴部と底部のいずれか一方又は双方に、前記内容器部と前記外容器部の胴部と底部の間に空隙に連通する換気用穴が形成されているので、電子レンジで加熱調理後、時間の経過とともに前記内容器部で加熱調理された高温の内容物の熱が前記空隙の空気に伝わって空気が熱くなっても、前記空隙の熱気が換気用穴により冷たい外気と換気することにより前記外容器部の温度の上昇を避けることができ、電子レンジ用二重容器の持ち運び等の取り扱いを安全に且つ容易に行うことができる。
【００１６】
請求項５に記載の電子レンジ用二重容器によれば、請求項１乃至４のいずれか１に記載の、前記内容器部はガスバリアー性を備えているので、内容物の劣化を防止することができる。
【図面の簡単な説明】
【００１７】
【図１】本発明に係る電子レンジ用二重容器の実施の形態の一例を示す平面図である。
【図２】図１のＡ−Ａ線断面図である。
【図３】内容器部と外容器部の開口端部の他例を示す構成説明図である。
【図４】内容器部と外容器部の開口端部の他例を示す構成説明図である。
【図５】内容器部と外容器部の胴部と底部の間に形成される空隙を形成する手段の他例を示す構成説明図である。
【図６】内容器部と外容器部の胴部と底部の間に形成される空隙を形成する手段の他例を示す構成説明図である。
【図７】内容器部と外容器部の胴部と底部の間に形成される空隙を形成する手段の他例を示す構成説明図である。
【図８】内容器部と外容器部の胴部と底部の間に形成される空隙を形成する手段の他例を示す構成説明図である。
【発明を実施するための形態】
【００１８】
以下、本発明に係る電子レンジ用二重容器の実施の形態の一例について図面を参照して詳細に説明する。
図１は本例の電子レンジ用二重容器を示す平面図、図２は図１のＡ−Ａ線断面図である。
【００１９】
本例の電子レンジ用二重容器１は、プラスチック製の内容器部２と外容器部３を重ねて一体とした二重構造となっている。電子レンジ用二重容器１の形状は、本例では、トレーの形状に形成されているがこれに限定されるものではなく、また、開口部形状にあっても、円形、楕円形、四角形など、特に限定されない。
【００２０】
プラスチック製の内容器部２と外容器部３はいずれも耐熱性のあるプラスチック、例えば、ポリプロピレン、結晶性ポリエチレンテレフタレート、ポリブチレンテレフタレート、ナイロンなどが使用される。プラスチックは、電磁波が透過し、電磁波を吸収しないので熱が蓄積されない。
特に、内容器部２にあっては、ガスバリアー性を備えていることが好ましく、本例の内容器部２はガスバリアー性を付与した複合材質の積層体で形成されている。複合材質で形成された積層体としては、内側から、ポリプロピレン／エチレン−ビニルアルコール共重合体／ポリプロピレンやポリプロピレン／エチレン−ビニルアルコール共重合体／ポリエチレンの積層体が挙げられるが、これに限定されない。
【００２１】
内容器部２と外容器部３は、両者の胴部４，５と底部６，７の間に空隙８を形成するように重ねられ、内容器部２と外容器部３の開口端部９，１０同士が係止或いは固定されて一体化している。
本例では、内容器部２の開口端部９と外容器部３の開口端部１０は、いずれも胴部４，５から外側に延びるフランジ部１１，１２を有している。そして、外容器部３のフランジ部１２の端部を内側に向けて折り返して折り返し部１３とし、この折り返し部１３内に内容器部２のフランジ部１１を挿入して係止させている。
【００２２】
折り返し部１３内に挿入されて係止する内容器部２のフランジ部１１は、折り返し部１３に圧接状態で係止していることが好ましい。本例では、折り返し部１３内に挿入される内容器部２のフランジ部１１の先端部を下方に向けて折曲し、折曲片１１ａの端縁を折り返し部１３内の下壁に当接させることによりフランジ部１１を折り返し部１３内の上壁に圧接させている。
【００２３】
内容器部２と外容器部３の開口端部９，１０同士の係止或いは固定にあっては、本例に限られず、図３に示すように、内容器部２のフランジ部１１の端部を外側に向けて折り返して折り返し部１３とし、この折り返し部１３内に外容器部３のフランジ部１２を挿入して係止させてもよい。この場合、折り返し部１３内に挿入される外容器部３のフランジ部１２の先端部を下方に向けて折曲し、折曲片１２ａの端縁を折り返し部１３内の下壁に当接させることによりフランジ部１２を折り返し部１３内の上壁に圧接させる。
【００２４】
また、図４に示すように、内容器部２と外容器部３のフランジ部１１，１２を重ね、超音波シール或いは接着剤で接着してもよい。この場合は、フランジ部１１，１２を完全に接着するのではなく、一部に非接着部を残しておくことが好ましい。フランジ部１１，１２間の一部に非接着部を残しておくことにより、加熱時に、内容器部２と外容器部３の胴部４，５と底部６，７の間に形成される空隙８の膨張した空気が非接着部から外部へ放出され、膨張した空気による電子レンジ用二重容器１の変形が防止できる。
内容器部２と外容器部３のフランジ部１１，１２を超音波シールで接着する場合は、内容器部２と外容器部３が同じ材質であることを要する。
【００２５】
なお、本例では、内容器部２と外容器部３の開口端部９，１０同士の係止或いは固定されて一体化しているが、内容器部２と外容器部３の一体化はこれに限られるものではなく、図示しないが、内容器部２と外容器部３の胴部４，５同士、或いは底部６，７同士を、その一部を接着することにより一体化してもよい。
【００２６】
このようにして一体となった内容器部２と外容器部３の胴部４，５と底部６，７の間には空隙８が形成されているが、この空隙８を形成する手段にあっては特に限定されない。
本例では、空隙８を形成する手段として、外容器部３の胴部５に、内側に突出する凸状部１４が形成され、また、底部７に内側に突出する凸状部１５が形成され、外容器部３の胴部５に形成された凸状部１４が、外容器部３の内側に重ねられた内容器部２の胴部４の外周面に当接し、外容器部３の底部７に形成された凸状部１５が内容器部２の底部６の外面に当接することにより、内容器部２と外容器部３の胴部４，５間と、底部６，７間に空隙８を形成している。
外容器部３の胴部５に形成された凸状部１４は、本例では、胴部５の周方向に環状に形成されているが、縦方向に形成してもよい。また、底部７に形成された凸状部１５は、本例では底部７の形状に沿って環状に形成されているが、底部７を横切る方向に直線状に形成してもよい。
【００２７】
なお、本例では、外容器部３の胴部５と底部７に凸状部１４，１５が形成されているが、図５に示すように、内容器部２の胴部４と底部６に凸状部１６，１７を形成してもよく、また、図６に示すように、内容器部２と外容器部３の胴部４，５と底部６，７に凸状部１４，１５，１６，１７を形成してもよい。
【００２８】
また、図７に示すように、内容器部２のフランジ部１１の先端部を下方に向けて折曲し、折曲片１１ａの端縁を折り返し部１３内の下壁に当接させることにより内容器部２の底部６と外容器部３の底部７との間に空隙８を形成し、そして、外容器部３の胴部５とフランジ部１２の間に形成される上端角部１８を内側に突出させて、この上端角部１８を内容器部２の胴部４の外周面に当接させることにより、内容器部２の胴部４と外容器部３の胴部５との間に空隙８を形成してもよい。
【００２９】
また、図８に示すように、内容器部２のフランジ部１１の先端部を下方に向けて折曲し、折曲片１１ａの端縁を折り返し部１３内の下壁に当接させ、外容器部３の胴部５とフランジ部１２の間に形成される上端角部１８を内側に突出させて、この上端角部１８を内容器部２の胴部４の外周面に当接させ、さらに、外容器部３の胴部５と底部７との角部に緩傾斜面部１９を形成して、内容器部２の底部６の周縁を緩傾斜面部１９に当接させることにより、内容器部２の底部６と外容器部３の底部７との間に空隙８を形成するとともに、内容器部２の胴部４と外容器部３の胴部５との間に空隙８を形成してもよい。
【００３０】
また、本例では、外容器部３の胴部５と底部７に、内容器部２と外容器部３の胴部４，５間と、底部６，７間に形成されている空隙８に連通する換気用穴２０が形成されている。
本例では、換気用穴２０は、外容器部３の胴部５と底部７に形成されているが、胴部５と底部７のいずれか一方にだけ形成されていてもよい。
【００３１】
このように構成される本例の電子レンジ用二重容器１によれば、プラスチック製の内容器部２と外容器部３は、電磁波を吸収せず熱が蓄積されないので電子レンジで長時間電磁波を受けても高熱を帯びず、また、内容器部２で加熱調理された高温の内容物の熱が内容器部２と外容器部３の胴部４，５間と、底部６，７間に形成されている空隙８で断熱されるので、電子レンジで長時間高温で加熱調理した直後であっても、外容器部３は高温にはならず、耐熱手袋などを使用しないで取り出しや持ち運びが可能となり、安全性が高く取り扱いが容易となる。
さらに、本例では、外容器部３の胴部５と底部７に、空隙８に連通する換気用穴２０が形成されているので、電子レンジで加熱調理後、時間の経過とともに内容器部２で加熱調理された高温の内容物の熱が空隙８の空気に伝わって空気が熱くなっても、空隙８の熱気が換気用穴２０により冷たい外気と換気することにより外容器部３の温度の上昇を避けることができ、電子レンジ用二重容器１の持ち運び等の取り扱いを安全に且つ容易に行える。
【００３２】
また、本例では、内容器部２の開口端部９と外容器部３の開口端部１０は、いずれも胴部４，５から外側に延びるフランジ部１１，１２を有しており、外容器部３のフランジ部１２の端部を内側に向けて折り返して折り返し部１３とし、この折り返し部１３内に内容器部２のフランジ部１１を挿入して係止させているので、フランジ部１１，１２の弾性を利用して外容器部３のフランジ部１２の端部に形成されている折り返し部１３に内容器部２のフランジ部１１の端部を容易に係止させることができる。そして、折り返し部１３内に挿入されて係止する内容器部２のフランジ部１１は、折り返し部１３に圧接状態で係止しているので、内容器部２と外容器部３の一体性を確実に保持することができる。
【００３３】
また、本例では、内容器部２の開口端部９と外容器部３の開口端部１０は、いずれもフランジ部１１，１２を有しているので、外容器部３のフランジ部１２を把持することにより電子レンジ用二重容器１の持ち運びを容易に行うことができる。
【００３４】
また、本例では、外容器部３の胴部５と底部７に、内容器部２の胴部４と底部６に当接する凸状部１４，１５が形成されているので、凸状部１４，１５がスペーサとなって、内容器部２と外容器部３の胴部４，５間と、底部６，７間に空隙８を確実に確保することができる。また、凸状部１４，１５がリブとなって内容器部２と外容器部３の剛性を強化することができるので、その分薄くすることが可能となり、材料を減らすことにより軽量化を図ることができる。
また、本例では、内容器部２はガスバリアー性を備えているので、内容物の劣化を防止することができる。
また、本例では、内容器部と外容器部はプラスチック製なので、電子レンジ用二重容器の開口部への蓋材のヒートシールが良好に行え、高い密封性が得られる。
【符号の説明】
【００３５】
１  電子レンジ用二重容器
２  内容器部
３  外容器部
４，５  胴部
６，７  底部
８  空隙
９，１０  開口端部
１１，１２  フランジ部
１１ａ，１２ａ  折曲片
１３  折り返し部
１４，１５，１６，１７  凸状部
１８  上端角部
１９  緩傾斜面部
２０  換気用穴
【図１】
2014189326.tif 000003
【図２】
2014189326.tif 000004
【図３】
2014189326.tif 000005
【図４】
2014189326.tif 000006
【図５】
2014189326.tif 000007
【図６】
2014189326.tif 000008
【図７】
2014189326.tif 000009
【図８】
2014189326.tif 000010